(57)【要約】【課題】本発明は、使用者が側方から携帯用便器に移乗する際に、手を置いて体を支える手掛かりが備えられており、足腰の弱い者であっても容易に移乗することが出来る簡易便器の肘掛け構造および簡易便器を提供することを課題とする。【解決手段】便器本体２の両側に設置されている肘掛け４であって、該肘掛け４は下側短肘掛け８と、該下側短肘掛け８上に重ねられる上側長肘掛け９とからなり、該上側長肘掛け９は前端から跳ね上げ可能とされている簡易便器１の肘掛け構造および上記の肘掛け構造を有する簡易便器１を提供する。【選択図】    図２
2005110807.tif 000002
【特許請求の範囲】
【請求項１】
便器本体の両側に設置されている肘掛けであって、該肘掛けは下側短肘掛けと、該下側短肘掛け上に重ねられる上側長肘掛けとからなり、該上側長肘掛けは前端から跳ね上げ可能とされていることを特徴とする簡易便器の肘掛け構造。
【請求項２】
該下側短肘掛けは前後を支柱によって便器本体の両側に支持され、該上側長肘掛けは根端部をヒンジブラケットによって該下側短肘掛けの根端部に枢着されている請求項１に記載の簡易便器の肘掛け構造。
【請求項３】
該下側短肘掛けの先端部と該上側長肘掛けの中間部とは解除可能にロックされている請求項１または請求項２に記載の簡易便器の肘掛け構造。
【請求項４】
該下側短肘掛け上面に突起部を設け、該上側長肘掛け下面に該突起部を適嵌する凹部を設けた請求項１〜請求項３に記載の簡易便器の肘掛け構造。
【請求項５】
該上側長肘掛けの下面に該下側短肘掛けを挟持する左右一対の突出部を設けた請求項１〜請求項３に記載の簡易便器の肘掛け構造。
【請求項６】
請求項１〜請求項５に記載の肘掛け構造を有することを特徴とする簡易便器。
【請求項７】
便器本体の一方または両方の側の上縁から移乗板を差出したこと請求項６に記載の簡易便器。
【請求項８】
該移乗板は便器本体の一方の側面上縁部分に着脱可能に取付けられ、一方の側面上縁部分から取外して他方の側面上縁部分に取付けることが出来るようにされている請求項７に記載の簡易便器。
【請求項９】
該便器本体には高さ調節可能な脚部が取付けられている請求項６〜請求項８に記載の簡易便器。
【発明の詳細な説明】
【技術分野】
【０００１】
本発明は簡易便器の肘掛け構造および簡易便器に関する。
【背景技術】
【０００２】
従来、使用者が側方から簡易便器へ容易に移乗することが出来る簡易便器の肘掛け構造としては、便器本体の両側にアームレストを取付け、該アームレストの先端部分を支持棒を介して該便器本体上面両側部に支持させた構成であって、該アームレスト根端は該便器本体側に枢着され、更に該アームレストの先端は該支持棒上端に枢着され、該支持棒は該便器本体上面両側部の取付穴に着脱可能に嵌め込まれており、支持棒を取付穴から抜き出すとともに、アームレストを該支持棒とともに前端から跳ね上げることによって、該アームレストを便器側部から撤去することが出来る携帯用便器のアームレスト構造が提供されている（特許文献１参照）。
【０００３】
また、便器本体の上面両側に取付けられるアームレストであって、該アームレストの一方は、アーム支持部と、該アーム支持部の前後を支持する支持棒とからなり、該アームレストの他方は、該一方のアームレストのアーム支持部よりも短いアーム支持部と、該アーム支持部を支持する一本の支持棒とからなる便器のアームレストが提供されている（特許文献２参照）。
【０００４】
【特許文献１】特開２０００−５１１２０号公報（第２−４頁、第１２図）
【特許文献２】特開２００２−４５３１１号公報（第２−３頁、第１図）
【発明の開示】
【発明が解決しようとする課題】
【０００５】
しかしながら上記従来の携帯用便器のアームレスト構造では、アームレストを支持棒とともに前端から跳ね上げて便器側部から撤去すると、使用者が側方から携帯用便器に移乗する際に手を置いて体を支える手掛かりがなくなるため、足腰の弱い者にとっては移乗が困難な場合があるという問題があった。
【０００６】
また、上記従来の便器のアームレストでは、使用者が一方の側（他方のアームレストが取付けられている側）から便器に移乗しようとする場合には、他方のアームレストの短いアーム支持部を手掛かりとして便器に移乗することが出来るものの、使用者が反対側から便器に移乗しようとする場合には、一方のアームレストと他方のアームレストをそれぞれ取外して付け替える必要があるという問題もあった。
【課題を解決するための手段】
【０００７】
本発明は上記従来の課題を解決するための手段として、便器本体(2) の両側に設置されている肘掛け(4) であって、該肘掛け(4) は下側短肘掛け(8) と、該下側短肘掛け(8) 上に重ねられる上側長肘掛け(9) とからなり、該上側長肘掛け(9) は前端から跳ね上げ可能とされている簡易便器(1) の肘掛け構造を提供するものである。
該下側短肘掛け(8) は前後を支柱(10)によって便器本体(2) の両側に支持され、該上側長肘掛け(9) は根端部をヒンジブラケット(11)によって該下側短肘掛け(8) の根端部に枢着されていることが望ましく、該下側短肘掛け(8) の先端部と該上側長肘掛け(9) の中間部とは解除可能にロックされていることが望ましい。
また、該下側短肘掛け(8) 上面に突起部(12)を設け、該上側長肘掛け(9) 下面に該突起部(12)を適嵌する凹部(13)を設けたことが望ましく、または、該上側長肘掛け(9) の下面に該下側短肘掛け(8) を挟持する左右一対の突出部(23)を設けたことが望ましい。
【０００８】
また本発明は、上記の肘掛け構造を有する簡易便器(1) を提供するものである。
便器本体(2) の一方または両方の側の上縁から移乗板(6) を差出したことが望ましく、また、該移乗板(6) は便器本体(2) の一方の側面上縁部分に着脱可能に取付けられ、一方の側面上縁部分から取外して他方の側面上縁部分に取付けることが出来るようにされていることが望ましく、更に、該便器本体(2) には高さ調節可能な脚部(19)が取付けられていることが望ましい。
【発明の効果】
【０００９】
本発明の簡易便器(1) の肘掛け構造および簡易便器(1) では、使用者が側方から簡易便器(1) に移乗する際に、下側短肘掛け(8) に手を置いて体を支える手掛かりとすることが出来、足腰の弱い者であっても容易に移乗することが出来る。
また、使用者がいずれの側から簡易便器(1) に移乗する場合であっても、使用者は移乗する側の肘掛け(4) の上側長肘掛け(9) を跳ね上げればよく、移乗する向きに合わせて肘掛け(4) を取外して付け替える必要がない。
【発明を実施するための最良の形態】
【００１０】
以下、本発明を実施例１および実施例２により詳細に説明する。
【実施例１】
【００１１】
本発明を図１〜図４に示す一実施例によって説明する。
図１および図２に示すように、簡易便器(1) は、木製の便器本体(2) と、該便器本体(2) の上面に取付けられている折畳み開閉可能なクッション座部(3) と、該便器本体(2) の上面両側に設置されている左右一対の肘掛け(4) と、該便器本体(2) の両側後部に立設されているコの字状の背もたれ(5) と、該便器本体(2) の一方の側の上縁から差出される着脱可能な移乗板(6) と、該便器本体(2) の左右両側に取付けられている左右一対の高さ調節可能な脚部ユニット(7) とからなる。
【００１２】
該肘掛け(4) は、下側短肘掛け(8) と、該下側短肘掛け(8) 上に重ねられる上側長肘掛け(9) とからなる。該下側短肘掛け(8) は、前後を支柱(10)によって便器本体(2) の両側に支持されており、該上側長肘掛け(9) は、根端部をヒンジブラケット(11)によって該下側短肘掛け(8) の根端部に枢着され、前端から跳ね上げ可能とされている。
また、該下側短肘掛け(8) 上面には突起部(12)が設けられており、該上側長肘掛け(9) 下面には該突起部(12)を適嵌するための凹部(13)が設けられている。
【００１３】
図３および図４に示すように、該肘掛け(4) の下側短肘掛け(8) の先端部の所定個所にはボルト挿通孔(14)が設けられており、該上側長肘掛け(9) の中間部下面の所定個所には埋込ナット(15)が埋設されている。
そして、該上側長肘掛け(9) の埋込ナット(15)にはノブ付きロックボルト(16)が、該下側短肘掛け(8) のボルト挿通孔(14)を挿通した状態で、該下側短肘掛け(8) の下面から螺着されており、該下側短肘掛け(8) の先端部と該上側長肘掛け(9) の中間部とがロックされている。
該上側長肘掛け(9) を跳ね上げる場合、該上側長肘掛け(9) の埋込ナット(15)からノブ付きロックボルト(16)を取外すことによって、該下側短肘掛け(8) の先端部と該上側長肘掛け(9) の中間部とのロックを解除し、該上側長肘掛け(9) を前端から跳ね上げることが出来る（図２および図４参照）。
【００１４】
肘掛け(4) の下側短肘掛け(8) の長さＬ1 は２００ｍｍ〜２５０ｍｍに設定されていることが望ましく、また、上側長肘掛け(9) の長さＬ2 は４５０ｍｍ〜５５０ｍｍに設定されていることが望ましく、そして、下側肘掛け(8) の前方スペースＬ3 は２５０ｍｍ〜３５０ｍｍに設定されていることが望ましい。
本実施例では、該下側短肘掛け(8) の長さＬ1 は２３０ｍｍに設定されており、また、該上側長肘掛け(9) の長さＬ2 は５００ｍｍに設定されており、そして、該上下側肘掛け(8) の前方スペースＬ3 は２８０ｍｍに設定されている（図３参照）。
【００１５】
また、移乗板(6) の所定個所には二個の埋込ナット(17)が埋設されており、一方、便器本体(2) の左右側面の上縁部分の所定の個所には二個のボルト挿通孔（図示せず）がそれぞれ設けられている。
そして、一方の側面のボルト挿通孔を介して便器本体(2) の内側から該移乗板(6) の埋込ナット(17)に固定ボルト（図示せず）を螺着することによって、該移乗板(6) は便器本体(2) の一方の側面上縁部分に着脱可能に取付け固定されている（図３および図４参照）。
該移乗板(6) を便器本体(2) の他方の側面上縁部分に付け替える場合には、該固定ボルトを取外すことによって該移乗板(6) を一方の側面上縁部分から取外し、他方の側面のボルト挿通孔を介して便器本体(2) の内側から該移乗板(6) の埋込ナット(17)に固定ボルトを螺着することによって、便器本体(2) の他方の側面上縁部分に該移乗板(6) を取付け固定する。
【００１６】
更に、脚部ユニット(7) は、底板(18)と、該底板(18)から立設される前後一対の脚部(19)とからなり、該脚部(19)側面の所定個所には二個のボルト挿通孔(20)が縦列されており、一方、便器本体(2) の側面の所定個所には複数個の埋込ナット(21)が縦列して埋設されている（図３および図４参照）。
そして、簡易便器(1) の高さ調節を行なう場合には、便器本体(2) の埋込ナット(21)のうち所望な高さ位置のものを選択し、該便器本体(2) の埋込ナット(21)の位置に脚部(19)のボルト挿通孔(20)の位置を合わせて固定ボルト(22)を螺着して固定する。
【００１７】
上記のような簡易便器(1) に使用者が側方のベッド等（図示せず）から移乗する場合には、簡易便器(1) のクッション座部(3) の高さとベッド上面の高さとが略同じ高さになるように簡易便器(1) の高さを調節し、移乗する側の便器本体(2) の側面上縁部分に移乗板(6) を取付け、簡易便器(1) の移乗する側の肘掛け(4) の上側長肘掛け(9) を跳ね上げて撤去する。
【００１８】
上記のように、簡易便器(1) の肘掛け(4) の上側長肘掛け(9) が前端から跳ね上げ可能とされているので、使用者が側方から簡易便器(1) に移乗する際に該上側長肘掛け(9) が使用者の体に干渉することがなく、かつ、下側短肘掛け(8) に手を置いて体を支える手掛かりとすることが出来、そのため、足腰の弱い者であっても容易に移乗することが出来る。
また、使用者がいずれの側から簡易便器(1) に移乗する場合であっても、使用者は移乗する側の肘掛け(4) の上側長肘掛け(9) を跳ね上げればよく、移乗する向きに合わせて肘掛け(4) を取外して付け替える必要がない。
【００１９】
この場合、肘掛け(4) の下側短肘掛け(8) の長さＬ1 を２００ｍｍ〜２５０ｍｍに設定することによって、下側短肘掛け(8) に手を置いて体を支える十分な手掛かりとすることが出来、また、上側長肘掛け(9) の長さＬ2 を４５０ｍｍ〜５５０ｍｍに設定することによって、該上側長肘掛け(9) を倒して使用者が肘を置いた場合に使用者の肘を十分に支えることが出来、そして、下側肘掛け(8) の前方スペースＬ3 を２５０ｍｍ〜３５０ｍｍに設定することによって、該上側長肘掛け(9) を跳ね上げて移乗する際に下側短肘掛け(8) が干渉することがなく、十分な移乗スペースを確保することが出来る。
【００２０】
更に、簡易便器(1) の便器本体(2) の側面上縁部に移乗板(6) が取付けられているため、簡易便器(1) に移乗する場合に使用者は該移乗板(6) に体を預けて移動することが出来、足腰の弱い者の側方からの移乗が更に容易となる。
また更に、簡易便器(1) の高さをベッド上面の高さと略同じ高さに調節することが出来るため、側方からの移乗をより円滑に行なうことが出来、簡易便器(1) への移乗が非常に容易となる。
【００２１】
また、上側長肘掛け(9) を倒して使用者が肘を置く等して使用した場合、肘掛け(4) の下側短肘掛け(8) の先端部と該上側長肘掛け(9) の中間部とをロックすることが出来るため、該上側長肘掛け(9) が確実かつ安定に固定され、使用時に該上側長肘掛け(9) が上下にがたつくことがない。
更に、本実施例では、上側長肘掛け(9) を倒して使用者が肘を置く等して使用した場合に、該下側短肘掛け(8) の上面の突起部(12)が該上側長肘掛け(9) 下面の凹部(13)に適嵌するため、使用時に該上側長肘掛け(9) が前後左右にがたつくのを防止することが出来る。
【実施例２】
【００２２】
図５および図６には他の実施例が示される。
図１〜図４に示した前実施例では、肘掛け(4) の下側短肘掛け(8) 上面に突起部(12)が設けられ、該上側長肘掛け(9) 下面に該突起部(12)を適嵌する凹部(13)が設けられていたのに対して、本実施例では、肘掛け(4) の上側長肘掛け(9) の中間部の下面に左右一対の突出部(23)が設けられており、該突出部(23)によって該下側短肘掛け(8) の先端部を挟持する。
【００２３】
本実施例では、上側長肘掛け(9) を倒して使用者が肘を置くなどして使用した場合に、該上側長肘掛け(9) の突出部(23)が下側短肘掛け(8) を挟持するため、使用時に該上側長肘掛け(9) が前後左右にがたつくのを防止することが出来る。
【００２４】
以上、本発明の実施の形態を実施例により説明したが、本発明の範囲はこれらに限定されるものではなく、請求項に記載された範囲内において目的に応じて変更・変形することが可能である。
【産業上の利用可能性】
【００２５】
本発明は、簡易便器の肘掛け構造および簡易便器として、産業上利用することが出来る。
【図面の簡単な説明】
【００２６】
【図１】実施例１の簡易便器の斜視図である。
【図２】実施例１の簡易便器（肘掛け跳ね上げ状態）の斜視図である。
【図３】実施例１の簡易便器の説明側面図である。
【図４】実施例１の簡易便器（肘掛け跳ね上げ状態）の説明側面図である。
【図５】実施例２の簡易便器（肘掛け跳ね上げ状態）の斜視図である。
【図６】実施例２の簡易便器の説明側面図である。
【符号の説明】
【００２７】
1  簡易便器
2  便器本体
4  肘掛け
6  移乗板
8  下側短肘掛け
9  上側長肘掛け
10  支柱
11  ヒンジブラケット
12  突起部
13  凹部
19  脚部
23  突出部
【図１】
2005110807.tif 000003
【図２】
2005110807.tif 000004
【図３】
2005110807.tif 000005
【図４】
2005110807.tif 000006
【図５】
2005110807.tif 000007
【図６】
2005110807.tif 000008
【手続補正書】
【提出日】平成15年10月10日(2003.10.10)
【手続補正１】
【補正対象書類名】図面
【補正対象項目名】全図
【補正方法】変更
【補正の内容】
【図１】
2005110807.tif 000009
【図２】
2005110807.tif 000010
【図３】
2005110807.tif 000011
【図４】
2005110807.tif 000012
【図５】
2005110807.tif 000013
【図６】
2005110807.tif 000014